(57)【要約】この発明は包装物に取りつけられる取っ手と、これを取りつけるための用具に関するものである。本発明は（ｉ）包装に取りつけられる時容易に切除される連綴線（１２）を介在させて製作された連続帯状の多数の平面状取っ手（１）と、（ｉｉ）取っ手の両端がそれを受け入れるように包装に設けられたスリットに対し正確に位置づけられるように取っ手（１）の両端を接近させ向きを変えさせるように構成された調整可能な案内レール（５）とから成るものである。本発明は包装のアクセサリーの工業的製作及び商業的普及に関係するものである。
2004518557.tif 000002
【特許請求の範囲】
【請求項１】
包装の上に取りつけられる取っ手と、これを取りつけるための用具との組み合わせから成り、ボール紙又は類似物製の包装の上に自動機により取っ手を取りつけることを目的とする装置であって、
その特徴とする所は、連続した帯状をなす平面的な取っ手（１）複数の隣接する取っ手間に包装に取りつける時容易に切断される連綴線（１２）を介在させて製作した取っ手（１）と、取っ手（１）の両端がこれを受け入れるため包装に設けられたスリットと正確に真っ直ぐになるように取っ手本体をアーチ形にしつつ取っ手（１）の両端の接近と方向づけとを同時に確保する向きに形状づけられた案内レール（５）との組み合わせから成る装置。
【請求項２】
取っ手がその両端に案内レール（５）内を滑走する膨らみ（６）を有していることを特徴とする請求項１に記載の装置。
【請求項３】
案内レール（５）が取っ手（１）の膨らみ（６）を係合させる長手方向の溝（７）を有し、この溝は取っ手の膨らみ（６）が案内レールに沿って走る時溝から出ないようにする絞り部を有していることを特徴とする請求項２に記載の装置。
【請求項４】
一対の案内レール（５）間の距離が、取っ手の両端を包装のスリットに正確に面するように接近させるため、入口点（８）から出口点（９）にかけて変化し減少することを特徴とする請求項１〜３のいずれか１項に記載の装置。
【請求項５】
同じ取っ手を異なる包装に使用できるようにするため、入口点（８）近くに設けた枢軸（１０）上で案内レールを枢動させ、案内レールの出口点間の距離を調整可能にしたことを特徴とする請求項４に記載の装置。
【請求項６】
案内レール（５）の溝（７）の形状が、取っ手（１）の両端を拘束して行程の４分の１は包装の側壁に垂直をなしつつ案内レールから出るように作用するねじれ形状であることを特徴とする請求項３〜５のいずれか１項に記載の装置。
【請求項７】
各案内レールの下流側に断続垂直運動する押し棒（１１）を配置し、そのヘッドは取りつけ工程中の取っ手（１）の形に添う形として取っ手の姿勢を確保し、押し棒（１１）は取っ手の引掛け部（３，４，４’）が包装側壁の上に完全に係合するまで引掛け部の受け入れのための包装のスリットへの係合を誘導することを特徴とする請求項１〜６のいずれか１項に記載の装置。
【請求項８】
２個の押し棒（１１）が単一の垂直ジャッキにより駆動され、このジャッキはレバーと公知駆動システムによる取っ手の水平前進を妨げないことを特徴とする請求項７に記載の装置。
【請求項９】
隣接する取っ手（１）をつないでいる連綴線（１２）を切断するためカッターブレードが案内レール（５）の端部のすぐ下流に配置されていることを特徴とする請求項４〜８のいずれか１項に記載の装置。
【請求項１０】
取っ手（１）は、引掛け部が包装のスリットに進入する時取っ手本体部（２）に対し弾けてその平面から離れ、弾性により取っ手をその定位置に保持することができるように構成された引掛け部（３，４，４’）をその両端に有することを特徴とする請求項１〜９のいずれか１項に記載の装置。
【請求項１１】
引掛け部は取っ手（１）の平面内で横に突出している角（つの）型（３）により形成されていることを特徴とする請求項１０に記載の装置。
【請求項１２】
引掛け部は取っ手（１）の面に対し傾斜している足型（４，４’）により構成されていることを特徴とする請求項１０に記載の装置。
【発明の詳細な説明】
【０００１】
本発明は包装の上に取りつけられる取っ手を目的とするもので、またその取りつけ用の用具をも目的とするものである。
【０００２】
本発明は、包装のためのアクセサリーの製造と普及のための工業的及び商業的分野に関する。
【０００３】
ボール紙又はその類似物製の包装に、流し込み又は射出成型プラスチック製の取っ手を備えるのが今日一般である。
【０００４】
この取っ手は、一般に両端に引掛け部をもつ帯状の本体又は中央部から成り、この引掛け部は取っ手両端をＴ形又はＶ形にして、これが包装の側壁に設けられたスリットに外から係合するようになっている。各引掛け部は、そのためのスリットに係合する前は、取っ手本体に対し折り畳まれているか、又は揺れ動くようになっている。
【０００５】
利用者が取っ手を把持することができるように、そして取っ手と包装の間に腕を通すことができるようにするため、包装の側壁に引掛け部の挿通と係留のため設ける両スリット間の距離は取っ手本体の長さより短くするが、このため、取っ手は引掛け部を係合させる前に一部をアーチ形に曲げなければならない。この操作を自動化するのは難しいと考えられていた。
【０００６】
従来、個々バラバラに製作された取っ手の取りつけを自動化する試みがなされ、そのコストは低いが、そのために構想される機械は複雑、高価で、動作が遅く、信頼性が低かった。
【０００７】
本発明者の出願に係るフランス特許第２６１９５５１号は、上記したタイプの取っ手を自動取りつけ式とすることを記載しており、その取っ手の本体は両端間の距離がそれを受け入れる包装側壁のスリット間の距離と等しくなるように製作時にアーチ形にされている。引掛け部は平面的であり、この取っ手は、引掛け部の各々が反対端にある引掛け部と平行になるように本体の対応する端部と鋭角をなすように形成される。
【０００８】
取っ手の自動取りつけを容易にするために、取っ手は多数の帯状物を横並べし、切断容易な連綴線でつないで製作される。この様式は、取っ手取りつけ装置への材料補給を著しく容易にする利点がある。
【０００９】
しかしながら、この取っ手はいくつかの不具合を呈する。
−成形用の型が高価で、低速生産率しか達成できないので、個々バラバラの取っ手に比べて製造コストが高い。
−取っ手の形状のためにロール状に巻く可能性を制約するから、束ねてある取っ手の数がしばしば不充分にしか判定されない（自動読み取り機）。
−包装上の取りつけ溝間の距離が取っ手の形に縛られるから、包装を受け入れる前にその最小寸法が課される。
−取りつけ用の押し棒又はフィンガーは、取っ手がどんな維持状態になっているかを問わず押してしまうから、時に不都合な取りつけを生じてしまう。
【００１０】
本発明はこれらの不具合を解消することを目的とするものである。本発明は経済的な取っ手に近付く一般的形状の取っ手の実現を可能にするものであり、取っ手の取りつけは単純で信頼性ある１台の自動機で確保される。
【００１１】
本発明は、連続した帯状の取っ手の隣接するものどうしの間に、包装上に取りつけられる時容易に切断できる連綴線を介在させて製作し、これと位置調整可能な案内レールとを組み合わせて構成されるもので、この案内レールは、取っ手の両端がこれを受け入れるための包装のスリットと正確に真っ直ぐになると共に取っ手本体をアーチ形に変形させていくように取っ手両端の接近と方向づけを同時に達成するものである。
【００１２】
本発明（図１から図９まで）を構成する取っ手１は、その本体２が半剛性の帯状をしていて、その両端に引掛け部３，４，４’を備えている。本発明を構成する２本のレール５（図６、図９）は、取っ手１を包装に予め形成してあるスリットの上に案内して固定するために、自動取りつけ機上に載置されるようになっている。
【００１３】
取りつけられる前、取っ手１は平面状であって、ポリエチレン、ポリ塩化ビニル又は同等物のようなプラスチック材料の流し込み又は押し出し成形による連続帯状を呈している。
【００１４】
引掛け部は２つのタイプをとることができる。
−１つは、図２，図３に示す角（つの）型３で、取っ手１の面内に横たわる。
−もう１つは、図４、図５に示す足型４，４’で、取っ手１の面に対し傾いているもの、である。
【００１５】
角型３及び足形４はともに、包装のスリットに進入する時本体２に対し急転して角度を変え、取っ手を定位置に維持するためその弾性により反り返ることができるように設定されている。
【００１６】
各取っ手１の端部には、案内レール５の中を滑走するようにした膨らみ６が形成される。
【００１７】
案内レール５には長手方向に溝７が形成され、その中に取っ手１の膨らみ６が係合する。一対のレール５間の距離（図９参照）は、入口点８から出口点９へかけて変化し減少していくので、取っ手の両端は互いに接近して、包装のスリットに正確に面を揃え、取っ手本体はアーチ形に湾曲する。
【００１８】
案内レールの出口点９での距離は、入口点８近くの枢軸１０で枢動させることで調整可能とすることが有利であり、これにより同じ取っ手を異なる包装に利用することができるようになる。
【００１９】
溝７は、膨らみ６がレールに沿って移動する時、溝から出ないようにする絞り形断面形状（図６参照）をもっていて、またそのねじれ形状が取っ手の両端を拘束する向きになっているので、取っ手両端は行程の４分の１では包装の側壁に垂直をなして案内レール５から出るように動作する。
【００２０】
各取っ手１が案内レール５の下流端を通過すると、取っ手は断続的に垂直運動する２つの押し棒１１（図８に１個だけ示す）により包装の側壁の方へ向きを変えられて包装のスリットに直面する。押し棒のヘッドは取っ手の形状に添う形をしていて、取りつけ工程中取っ手の位置を確保し、この押し棒が引掛け部３，４，４’のスリットへの係合を引き起こし、引掛け部が包装の側壁上に完全に係合するまで維持する。
【００２１】
２つの押し棒１１は、単一の垂直ジャッキ（図示せず）により駆動するのが好適であり、このジャッキはレバーと公知駆動システムによる取っ手の水平前進を妨げない。
【００２２】
取っ手を受け入れるように構成された包装に取っ手１を取りつけることは、帯状に揃えられた複数の取っ手１が隣どうし連綴線１２でつながっているということにより著しく改善された。こうして各取っ手は取りつけ機の案内レール５によって容易に案内される。取っ手１を定位置に取りつけるための手段は、案内レール５及び押し棒１１に加えて、案内レールの端部のすぐ下流にあるカッターブレード対をも包含し、その各々は連綴線１２の切り離しの役をする。
【００２３】
以上説明した種々の要素から成る本発明の構成は、同様の技術によって今日まで得ることができなかった最大限の効果を本発明にもたらすもである。
【図面の簡単な説明】
【図１】
本発明に係る平面的な帯状取っ手群の一例を示す平面図である。
【図２】
図１の円Ｄ１部分の拡大断片図である。
【図３】
取っ手先端部の膨らみの２つの例を示す側面図である。
【図４】
取っ手先端部の引掛け部の異なる変形例を示す平面図である。
【図５】
図４の側面図である。
【図６】
１本の案内レールの斜視図である。
【図７】
１本の案内レールの入口端の端面図で、取っ手はアーチ形になる前である。
【図８】
同じ１本の案内レールの出口端の断面図で、取っ手押し棒を部分的に示してある。
【図９】
案内レールの平面図で、取っ手２本とともに示してある。
【国際公開パンフレット】
2004518557.tif 000003
2004518557.tif 000004
2004518557.tif 000005
2004518557.tif 000006
2004518557.tif 000007
2004518557.tif 000008
2004518557.tif 000009
2004518557.tif 000010
2004518557.tif 000011
2004518557.tif 000012
2004518557.tif 000013
2004518557.tif 000014
【国際調査報告】
2004518557.tif 000015
2004518557.tif 000016
2004518557.tif 000017
2004518557.tif 000018